(57)【要約】【課題】  負傷箇所に適した薬品を容易に生成し、速やかな応急措置ができる応急パックを提供することを目的とする。【解決手段】  ホウ酸をペットボトル６入れて溶解することにより負傷箇所に適したホウ酸水７を生成するための応急パック１であって、切り離し可能に連結され用途が明記された複数の封入部４０ａ〜４０ｉを有するパック本体４と、複数の封入部４０ａ〜４０ｉにそれぞれ封入され前記用途によって封入される分量が異なるホウ酸５ａ〜５ｉと、を備える。負傷時に、目的の用途が明記された封入部を切り離し、この封入部に封入されたホウ酸をペットボトル６に入れて溶解することで、負傷箇所に適したホウ酸水７が生成される。【選択図】  図１
2010162215.tif 000002
【特許請求の範囲】
【請求項１】
薬剤を一定量の希釈液に溶解することにより負傷箇所に適した薬品を生成するための応急パックであって、
切り離し可能に連結され用途が明記された複数の小袋を有するパック本体と、
前記複数の小袋にそれぞれ封入され前記用途によって封入される分量が異なる薬剤と、
を備えたことを特徴とする応急パック。
【請求項２】
前記薬剤は、粉末である、ことを特徴とする請求項１に記載の応急パック。
【請求項３】
前記薬剤は、液体である、ことを特徴とする請求項２に記載の応急パック。
【請求項４】
前記パック本体には、前記薬剤を用いて生成される薬品名を表示する薬品表示部を設けた、ことを特徴とする請求項１〜３のいずれか１項に記載の応急パック。
【請求項５】
前記パック本体には、前記薬剤を用いて生成される薬品の用法を表示する用法表示部を設けた、ことを特徴とする請求項１〜４のいずれか１項に記載の応急パック。
【発明の詳細な説明】
【技術分野】
【０００１】
本発明は、負傷時に負傷箇所に薬品を使用する際に用いられる応急パックに関する。
【背景技術】
【０００２】
作業現場などで作業者が負傷した場合に、負傷者を医療施設などに収容する前に、すぐに応急手当をする必要がある。応急手当をすることで、負傷箇所の悪化防止や、その後の医療機関での一助となりえるからである。このような応急手当をするための用具として下記の応急パックが知られている（例えば、特許文献１参照。）。
【０００３】
この応急パックは、殺菌消毒液が封入された袋体が、例えば作業者の帽子などに取り付けられて、常に携帯されている。そして、作業者の負傷時に、応急パックの殺菌消毒液が負傷箇所に使用される。
【先行技術文献】
【特許文献】
【０００４】
【特許文献１】特開２００６−１４９４２１号公報
【発明の概要】
【発明が解決しようとする課題】
【０００５】
ところで、負傷には薬品などが人体に付着する場合がある。例えば、排ガスの脱硝装置などにアンモニアが使用される。こうしたアンモニア装置の点検・整備の際に、不慮の事故によりアンモニア漏洩などが発生し、作業者にアンモニアが付着した場合には、手当てをする者は、アンモニアが付着した負傷箇所に適した濃度のホウ酸水やクエン酸水などの薬品を、中和用の洗浄液として生成する。このとき、洗浄液の濃度を、手や顔などの負傷箇所に応じたものにする必要がある。手当てをする者は、生成した洗浄液を用いて、負傷箇所を洗い、応急措置を行う。しかしながら、アンモニア漏洩などで作業者にアンモニアが付着した後、手当てをする者が速やかに負傷箇所に適した濃度の洗浄液を生成し、負傷箇所を洗うなどの応急措置を行うのは、手当てをする者の精神的な焦りなどにより、難しかった。また、特許文献１の応急パックでは、薬品を容易に持ち運べることを目的としており、負傷箇所によって濃度の異なる薬品を使用し、応急措置を行うことはできなかった。つまり、負傷箇所に適した薬品を生成することは、難しかった。
【０００６】
そこで本発明は、応急処置に必要とする、負傷箇所に適した薬品を容易に生成し、速やかな応急措置ができる応急パックを提供することを目的とする。
【課題を解決するための手段】
【０００７】
前記課題を解決するために、請求項１に記載の発明は、薬剤を一定量の希釈液に溶解することにより負傷箇所に適した薬品を生成するための応急パックであって、切り離し可能に連結され用途が明記された複数の小袋を有するパック本体と、前記複数の小袋にそれぞれ封入され前記用途によって封入される分量が異なる薬剤と、を備えたことを特徴とする応急パックである。
【０００８】
請求項１に記載の発明によれば、負傷時に、目的の用途が明記された小袋を切り離し、この小袋に封入された薬剤を一定量の希釈液に溶解することで、負傷箇所に適した薬品が生成される。
【０００９】
請求項２に記載の発明は、請求項１に記載の応急パックにおいて、前記薬剤は、粉末である、ことを特徴としている。
【００１０】
請求項３に記載の発明は、請求項1に記載の応急パックにおいて、前記薬剤は、液体である、ことを特徴としている。
【００１１】
請求項４に記載の発明は、請求項１〜３のいずれか１項に記載の応急パックにおいて、前記パック本体には、前記薬剤を用いて生成される薬品の薬品名を表示する薬品表示部を設けた、ことを特徴としている。
【００１２】
請求項５に記載の発明は、請求項１〜４のいずれか１項に記載の応急パックにおいて、前記パック本体には、前記薬剤を用いて生成される薬品の用法を表示する用法表示部を設けた、ことを特徴としている。
【発明の効果】
【００１３】
請求項１に記載の発明によれば、負傷時に、目的の用途が明記された小袋を切り離し、この小袋に封入された薬剤を一定量の希釈液に溶解するだけで、負傷箇所に適した薬品が生成される。そのため、負傷箇所に適した薬品の生成が容易となり、誰でも速やかな応急措置を行うことができる。また、小袋には、用途が明記されているので、容易に目的の小袋を選び出すことができる。
【００１４】
請求項２に記載の発明によれば、薬剤が粉末となっているので、薬剤を希釈液に溶解させることが容易となり、速やかに負傷箇所に適した薬品を生成することができる。
【００１５】
請求項３に記載の発明によれば、薬剤が液体となっているので、請求項２に記載の発明よりも薬剤を希釈液に溶解させることが容易となり、速やかに負傷箇所に適した薬品を生成することができる。
【００１６】
請求項４および請求項５に記載の発明によれば、パック本体に薬品表示部や用法表示部を設けることで、薬剤を用いて薬品を生成する際に、間違えることなく使用する応急パックを選び出すことができ、速やかな応急措置を行うことができる。
【図面の簡単な説明】
【００１７】
【図１】本発明の実施の形態１に係わる応急パックの正面図である。
【図２】図１の応急パックの第１の封入部の正面図である。
【図３】図２の第１の封入部のホウ酸を希釈液に溶解するときの図である。
【図４】図３の状態の後、ホウ酸水が生成されたときの図である。
【図５】本発明の実施の形態１に係わる応急パックのパック本体の製造方法を示す図であり、図５（ａ）はパック本体の袋の図であり、図５（ｂ）は袋を融着させて袋が３つの開口部に区切られた図であり、図５（ｃ）は図５（ｂ）の状態から３つの開口部に所定量のホウ酸を入れて袋の短尺方向に袋を融着させた状態を示す図である。
【図６】本発明の実施の形態２の応急パックの正面図である。
【発明を実施するための形態】
【００１８】
以下、本発明を図示の実施の形態に基づいて説明する。
【００１９】
（実施の形態１）
図１ないし図４は、この実施の形態を示している。図１は、応急パック１の正面図である。応急パック１は、アンモニア（図示せず）が皮膚に付着した場合に使用される。例えば、排ガスの脱硝装置などにアンモニアが使用されているので、不慮の事故によりアンモニアの漏洩が発生し、作業者の皮膚にアンモニアが付着することを想定した。この実施の形態では、皮膚に付着したアンモニアを中和して洗い流す洗浄液としてホウ酸水（薬品）７を使用する場合を例とし、応急パック１は、一定量の希釈液としてペットボトル６に入っている精製水６ａを用いて、ホウ酸水７を作るためのホウ酸（薬剤）５を提供する。
【００２０】
ところで、アンモニアが人体の皮膚に付着した場合に、付着箇所に使用できるホウ酸水７の濃度は、あらかじめ決められている。具体的には、
手…Ａ％
頭…Ｂ％
体…Ｃ％
足…Ｄ％
である。ここで、「手」は、肩から手までの部分を含み、「頭」は、首から上の部分を含む。また、「体」は、頭、手、足の部分以外の部分を含み、「足」は、足、足首、脛、膝および腿を含む、足から腿までの部分である。
【００２１】
この実施の形態による応急パック１は、パック本体４とホウ酸とから成る。パック本体４は、略長方形で、長手方向の一方の端部側（図中上側）には、ホウ酸を用いて生成されるホウ酸水７の用法などを表示する用法表示部２が設けられている。この用法表示部２には、「アンモニア用」と表示されている。パック本体４の他方の端部側（図中下側）には、応急パック１に用いられる薬品の名称を表示する薬品表示部３が設けられている。この薬品表示部３には、「ホウ酸水」と表示されている。このホウ酸水は、先に述べたように、アンモニアが付着した場合に、付着箇所に使用されると効果のある薬品である。
【００２２】
パック本体４には、用途を明記するものとして、全体で人を表すマークが表示されている。また、パック本体４には、人を表す各マークを囲むように、ミシン目などが形成され、９つの封入部（小袋）４０ａ〜４０ｉに切り離し可能となっている。各封入部４０ａ〜４０ｉには、用途によって分量が異なるホウ酸が封入されている。このホウ酸は、後述するペットボトル６に入れられることで、ペットボトル６内の精製水６ａと共にホウ酸水７を生成する。各封入部４０ａ〜４０ｉは、ホウ酸が漏れたりしないようにプラスチックなどの素材から構成されている。パック本体４の上段には、第１の封入部４０ａと第２の封入部４０ｂと第３の封入部４０ｃとが設けられ、中段には、第４の封入部４０ｄと第５の封入部４０ｅと第６の封入部４０ｆとが設けられ、下段には、第７の封入部４０ｇと第８の封入部４０ｈと第９の封入部４０ｉとが設けられている。
【００２３】
第１の封入部４０ａは、パック本体４の上段の一方の端部（図１中左側）に設けられている。この第１の封入部４０ａは、アンモニアが片手部分に付着した場合に使用される。第１の封入部４０ａの表面には、図２に示すように、人間の手の部分を表すマークとして、略二等辺三角形の図形と「手」という文字が表示されている。第１の封入部４０ａには、第１のホウ酸５ａが封入されている。この第１のホウ酸５ａは、「手」に使用するＡ％のホウ酸水７の生成に用いられる。第３の封入部４０ｃは、パック本体４の上段の他方の端部（図１中右側）に設けられている。また、第３の封入部４０ｃは、第１の封入部４０ａと同様に、人間の手の部分を表すマークとして、略二等辺三角形の図形と「手」という文字が表示されている。また、第３の封入部４０ｃには、第１のホウ酸５ａと同等量の第３のホウ酸５ｃが封入されている。
【００２４】
第２の封入部４０ｂは、パック本体４の上段の中央部に設けられている。この第２の封入部４０ｂは、アンモニアが頭に付着した場合に使用される。第２の封入部４０ｂの表面には、人間の頭の部分を表すマークとして、略円形の図形と「頭」という文字が表示されている。第２の封入部４０ｂには、第２のホウ酸５ｂが封入されている。この第２のホウ酸５ｂは、「頭」に使用するＢ％のホウ酸水７の生成に用いられる。
【００２５】
パック本体４の中段に設けられた各封入部４０ｄ〜４０ｆは、アンモニアが体に付着した場合に使用される。封入部４０ｄ〜４０ｆの表面には、人間の体の部分を表すマークとして、略五角形の図形と「体」という文字が表示されている。第４の封入部４０ｄは、パック本体４の中段の一方の端部（図１中左側）に設けられている。第４の封入部４０ｄには、第４のホウ酸５ｄが封入されている。この第４のホウ酸５ｄは、「体」に使用するＣ％のホウ酸水７の生成に用いられる。第６の封入部４０ｆは、パック本体４の中段の他方の端部（図１中右側）に設けられている。この第６の封入部４０ｆには、第４のホウ酸５ｄと同等量の第６のホウ酸５ｆが封入されている。第５の封入部４０ｅは、パック本体４の中段の中央部に設けられている。この第５の封入部４０ｅには、第４のホウ酸５ｄと同等量の第５のホウ酸５ｅが封入されている。
【００２６】
第７の封入部４０ｇは、パック本体４の下段の一方の端部（図１中左側）に設けられている。この第７の封入部４０ｇは、アンモニアが片足部分に付着した場合に使用される。第７の封入部４０ｇの表面には、人間の足の部分を表すマークとして、略二等辺三角形の図形が２つと「足」という文字が表示されている。第７の封入部４０ｇには、第７のホウ酸５ｇが封入されている。この第７のホウ酸５ｇは、「足」に使用するＤ％のホウ酸水７の生成に用いられる。第９の封入部４０ｉは、パック本体４の下段の他方の端部（図１中右側）に設けられている。また、第９の封入部４０ｉは、第７の封入部４０ｇと同様に、人間の足の部分を表すマークとして、略二等辺三角形の図形が２つと「足」という文字が表示されている。また、第９の封入部４０ｉには、第７のホウ酸５ｇと同等量の第９のホウ酸５ｉが封入されている。第８の封入部４０ｈは、パック本体４の下段の中央部に設けられている。第８の封入部４０ｈには、第７の封入部４０ｇと同等量の第８のホウ酸５ｈが封入されている。なお、第８の封入部４０ｈは、第７の封入部４０ｇと第９の封入部４０ｉとの間にあるので、第８の封入部４０ｈに第８のホウ酸５ｈを封入しなくてもよい。
【００２７】
このような応急パック１は、以下のようにして製造される。まず、図５（ａ）に示すような略長方形で上端が開口した一枚の袋１０を用意する。この袋１０は、例えば、プラスチックなどの素材から作られている。次に、袋１０に人を表すマークと用表表示部２と薬品表示部３を印刷する。そして、袋１０の長手方向に沿って、袋１０を融着させることにより、図５（ｂ）に示すように、袋１０は３つの開口部１０ａ〜１０ｃに区切られる。ここで融着とは、例えば、袋１０を超音波加熱などすることにより行う。そして、図５（ｃ）に示すように、第１の開口部１０ａから第７のホウ酸５ｇ、第２の開口部１０ｂから第８のホウ酸５ｈ、第３の開口部１０ｃから第９のホウ酸５ｉを入れる。その後、図５（ｄ）に示すように、袋１０の短尺方向に沿って、ホウ酸５ｈ〜５ｉを封じ込めるように、袋１０を融着させる。次に、同様の手順で、第１の開口部４０ａから第４のホウ酸５ｄ、第２の開口部１０ｂから第５のホウ酸５ｅ、第３の開口部１０ｃから第６のホウ酸５ｆを入れ、ホウ酸５ｄ〜５ｆを封じ込めるように袋１０を融着させる。さらに、同様に手順で、第１の開口部１０ａから第１のホウ酸５ａ、第２の開口部１０ｂから第２のホウ酸５ｂ、第３の開口部１０ｃから第３のホウ酸５ｃを入れ、ホウ酸５ａ〜５ｃを閉じ込めるように袋１０を融着させる。最後に、融着部分にミシン目を入れることで、図１に示すような応急パック１が形成される。
【００２８】
次に、このような構成の応急パック１の使用方法などについて説明する。
【００２９】
まず、アンモニアが付着した際に、アンモニアが付着した箇所を確認する。そして、用法表示部２にアンモニア用と表示されている応急パック１から、アンモニアが付着した箇所に対応するマークが表示されている封入部を切り取る。例えば、アンモニアが手に付着した場合には、手を表示するマークが表示されている第１の封入部４０ａを切り取る。そして、図３に示すように、第１の封入部４０ａに封入された第１のホウ酸５ａをペットボトル６に入れて、よく混ぜる。ここで、ペットボトル６には、一定量の希釈液が入っているものであれば良く、例えば、ペットボトル６に５００ｍｌの精製水６ａが入っているものでよい。このとき、図４に示すように、アンモニアが手に付着した場合に付着箇所に適したＡ％のホウ酸水７が生成される。そして、このＡ％のホウ酸水７をアンモニアが付着した手の部分に使用する。
【００３０】
以上のように、この実施の形態の応急パック１によれば、アンモニアが付着した箇所に対応するマークが表示されている封入部を切り取り、この封入部に封入されたホウ酸をペットボトル６に入れて希釈するだけで、アンモニアが付着した箇所に適した濃度のホウ酸水７が生成される。そのため、負傷箇所に適した濃度のホウ酸水７の生成が容易となり、誰でも速やかな応急措置を行うことができる。
【００３１】
また、各封入部４０ａ〜４０ｉには、用途を明記するものとしてアンモニアが付着した箇所に対応する図形や文字が表示されているので、容易に必要な封入部を判別することができ、速やかな応急措置を行うことができる。さらに、用法表示部２や薬品表示部３には、ホウ酸の用法やホウ酸水７の名称が表示されているので、容易に目的の応急パック１を選び出すことができる。
【００３２】
（実施の形態２）
図５は、この実施の形態を示している。この実施の形態の応急パック１は、実施の形態１の各封入部４０ａ〜４０ｉに封入されたホウ酸の代わりに、高濃度のホウ酸水（薬剤）７ａ〜７ｉを封入したもので、実施の形態１と同等の構成または相当する構成については、同一符号を付することで、その説明を省略する。
【００３３】
第１の封入部４０ａには、第１のホウ酸水７ａが封入されている。この第１のホウ酸水７ａは、「手」に使用されるＡ％のホウ酸水７の生成に用いられる。第３の封入部４０ｃには、第１のホウ酸水７ａと同等の第３のホウ酸水７ｃが封入されている。第２の封入部４０ｂには、第２のホウ酸水７ｂが封入されている。この第２のホウ酸水７ｂは、「頭」に使用されるＢ％のホウ酸水７の生成に用いられる。
【００３４】
第４の封入部４０ｄには、第４のホウ酸水７ｄが封入されている。この第４のホウ酸水７ｄは、「体」に使用されるＣ％のホウ酸水７の生成に用いられる。第５の封入部４０ｅには、第４のホウ酸水７ｄと同等の第５のホウ酸水７ｅが封入されている。第６の封入部４０ｆには、第４のホウ酸水７ｄと同等の第６のホウ酸水７ｆが封入されている。
【００３５】
第７の封入部４０ｇには、第７のホウ酸水７ｇが封入されている。この第７のホウ酸水７ｇは、「足」使用されるＤ％のホウ酸水７の生成に用いられる。第８の封入部４０ｈには、第７のホウ酸水７ｇと同等の第８のホウ酸水７ｈが封入されている。第９の封入部４０ｉには、第７のホウ酸水７ｇと同等の第９のホウ酸水７ｉが封入されている。なお、第８の封入部４０ｈは、第７の封入部４０ｇと第９の封入部４０ｉとの間にあるので、第８の封入部４０ｈに第８のホウ酸７ｈを封入しなくてもよい。
【００３６】
次に、このような構成の応急パック１の使用方法などについて説明する。
【００３７】
まず、アンモニアが付着した際に、アンモニアが付着した箇所を確認する。そして、用法表示部２にアンモニア用と表示されている応急パック１から、アンモニアが付着した箇所に対応するマークが表示されている封入部を切り取る。例えば、アンモニアが手に付着した場合には、手を表示するマークが表示されている第１の封入部４０ａを切り取る。そして、第１の封入部４０ａに封入された第１のホウ酸水７ａをペットボトル６に入れて、よく混ぜる。このとき、アンモニアが手に付着した場合に使用するＡ％のホウ酸水７が生成される。そして、このＡ％のホウ酸水７をアンモニアが付着した手の部分に使用する。
【００３８】
以上のように、この実施の形態の応急パック１によれば、各封入部に封入されたホウ酸水７ａ〜７ｉは、液体であるので、ホウ酸水７ａ〜７ｉをペットボトル６に入れて混合させることが容易となり、負傷箇所に適した濃度のホウ酸水７を速やかに生成することができる。
【００３９】
以上、この発明の実施の形態を詳述してきたが、具体的な構成は上記の実施の形態に限られるものではなく、この発明の要旨を逸脱しない範囲の設計の変更等があっても、この発明に含まれる。例えば、上記の実施の形態では、応急パック１は、９つの封入部に切り離し可能になっているが、９つに限られるものではなく、必要に応じた数に切り離し可能になっていても良い。また、上記の実施の形態ではアンモニアが付着した際のホウ酸水７の生成方法について説明したが、ホウ酸水７に限られるものではなく、クエン酸水などであってもよい。さらに、アンモニアが付着した場合に限られるものではなく、その他使用箇所によって異なる濃度の薬品を使用する場合にも適用できる。
【符号の説明】
【００４０】
１          応急パック
２          用法表示部
３          薬品表示部
４          パック本体
４０        封入部（小袋）
５          ホウ酸（薬剤）
６          ペットボトル
６ａ        精製水
７          ホウ酸水（薬品）
７ａ〜７ｉ  ホウ酸水（薬剤）
【図１】
2010162215.tif 000003
【図２】
2010162215.tif 000004
【図３】
2010162215.tif 000005
【図４】
2010162215.tif 000006
【図５】
2010162215.tif 000007
【図６】
2010162215.tif 000008